(57)【要約】【課題】  本発明は、コストを抑えつつ、より正確に、装置内の複数の測定対象位置の温度を推定することができる温度推定装置を提供することを目的とする。【解決手段】  温度測定部１３０は、制御部３００の温度を測定し、温度テーブル保持部１１０は、基地局１００の設置状態と、制御部３００の温度と、無線部４００ａ，４００ｂの推定温度とを関連づけて保持し、温度推定部１４０は、温度テーブル保持部１１０を参照し、温度測定部１３０によって測定された温度と、基地局１００の設置状態とに関連づけられている無線部４００ａ，４００ｂの推定温度を無線部４００ａ，４００ｂの温度と推定する。【選択図】      図３
2006284360.tif 000002
【特許請求の範囲】
【請求項１】
装置内の測定対象位置の温度を推定する温度推定装置であって、
前記温度推定装置内の所定位置の温度を測定する温度測定部と、
前記温度推定装置の設置状態と、前記所定位置の温度と、前記所定位置と異なる前記測定対象位置の推定温度と、を関連づけて保持する温度保持部と、
前記温度保持部を参照し、前記温度測定部によって測定された温度と、入力された温度推定装置の設置状態とに関連付けられている測定対象位置の推定温度を、前記測定対象位置の温度と推定する温度推定部とを備えることを特徴とする温度推定装置。
【請求項２】
前記設置状態は、前記温度推定装置が室内に設置されている状態と、前記温度推定装置が屋外に設置されている状態とのいずれかであることを特徴とする請求項１に記載の温度推定装置。
【請求項３】
前記温度推定装置は、基地局であって、
前記測定対象位置は、無線通信を行う無線部が配置された位置であって、
前記設置状態は、前記基地局の設置方向であることを特徴とする請求項１又は２に記載の温度推定装置。
【発明の詳細な説明】
【技術分野】
【０００１】
本発明は、装置内の測定対象位置の温度を推定する温度推定装置に関する。
【背景技術】
【０００２】
従来、基地局等の無線通信装置には一般的に、温度によって特性が変化する部品が備えられている。例えば、無線通信装置において無線通信を行う無線部には、受信信号から受信電界強度を測定する受信電界強度測定部が備えられる。受信電界強度測定部によって出力される受信電界強度は、温度特性を持つため、その値を無線通信装置の温度に基づいて補償する技術が提供されている（例えば、特許文献１参照。）。
【０００３】
又、無線通信装置には、無線通信を行う無線部を複数備えるものがある。このような無線通信装置に上述の従来技術を適用するためには、各無線部の温度を正確に推定することが求められる。但し、無線通信装置には一般的に、送信アンプや電源ユニット等、熱を発する発熱部品が多く備えられる。このため、複数の無線部の配置される位置と、発熱部品の配置される位置との関係によっては、複数の無線部の温度は大きく異なり得る。従って、各無線部の温度を正確に推定するために、各無線部に温度センサを備えることが考えられる。
【特許文献１】特許２８５９２２７号公報
【発明の開示】
【発明が解決しようとする課題】
【０００４】
しかしながら、無線通信装置に温度センサを複数備えることにより、無線通信装置を製造するためのコストが増加する。
【０００５】
そこで、本発明は以上の点に鑑みてなされたもので、コストを抑えつつ、より正確に、装置内の複数の測定対象位置の温度を推定することができる温度推定装置を提供することを目的とする。
【課題を解決するための手段】
【０００６】
本発明の第１の特徴は、装置内の測定対象位置の温度を推定する温度推定装置であって、前記温度推定装置内の所定位置の温度を測定する温度測定部と、前記温度推定装置の設置状態と、前記所定位置の温度と、前記所定位置と異なる前記測定対象位置の推定温度と、を関連づけて保持する温度保持部と、前記温度保持部を参照し、前記温度測定部によって測定された温度と、入力された温度推定装置の設置状態とに関連付けられている測定対象位置の推定温度を、前記測定対象位置の温度と推定する温度推定部とを備えることを要旨とする。
【０００７】
第１の特徴にかかる温度推定装置によれば、温度保持部が、所定位置の温度と、測定対象位置の推定温度とを関連づけて保持するため、一つの温度センサによって測定された所定位置の温度に基づいて、所定位置と異なる測定対象位置の温度をより正確に推定することができる。
【０００８】
又、温度保持部は、所定位置の温度と測定対象位置の推定温度とを関連づけて保持するだけでなく、温度推定装置の設置状態もこれらに関連づけて保持する。このため、温度推定装置の設置状態によって、所定位置の温度に対する測定対象位置の温度が異なる場合であっても、測定対象位置の温度をより正確に推定することができる。
【０００９】
従って、コストを抑えつつ、より正確に、装置内の所定位置の温度を推定することが可能になる。
【００１０】
第１の特徴に係る前記設置状態は、前記温度推定装置が室内に設置されている状態と、前記温度推定装置が屋外に設置されている状態とのいずれかであるように構成されていてもよい。
【００１１】
第１の特徴に係る前記温度推定装置は、基地局であって、前記測定対象位置は、無線通信を行う無線部が配置された位置であって、前記設置状態は、前記基地局の設置方向であるように構成されていてもよい。
【発明の効果】
【００１２】
本発明によると、コストを抑えつつ、より正確に、装置内の複数の測定対象位置の温度を推定することができる温度推定装置を提供することができる。
【発明を実施するための最良の形態】
【００１３】
（基地局）
次に、図面を参照して、本発明の実施の形態を説明する。以下の図面の記載において、同一又は類似の部分には、同一又は類似の符号を付している。ただし、図面は模式的なものであることに留意すべきである。
【００１４】
図１は、基地局１００の概略図を示す。基地局１００は、装置内の測定対象位置の温度を推定する温度推定装置としての機能を持つ。尚、測定対象位置は、装置内の任意の位置に定められる。基地局１００は、二つのアンテナ群２００ａ，２００ｂを備える。
【００１５】
図２は、図１に示されるＡ−Ａの断面図を示す。図２に示されるように、基地局１００は、二つのアンテナ群２００ａ，２００ｂのそれぞれに対応して二つの無線部４００ａ，４００ｂを備える。尚、二つの無線部４００ａ，４００ｂが配置された位置は、基地局１００内において、温度が推定される測定対象位置である。本実施の形態においては、基地局１００は、温度が推定される測定対象位置を複数備える。無線部４００ａ，４００ｂには、温度によって特性が変化する部品が備えられることから、無線部４００ａ，４００ｂの位置の温度を正確に推定することが望まれる。
【００１６】
又、基地局１００は、二つの無線部４００ａ，４００ｂの間に制御部３００を備える。制御部３００には、基地局１００の動作を制御するＣＰＵや、メモリ等の部品が備えられる。制御部３００は、温度が測定される所定位置である。
【００１７】
以下、基地局１００について詳細に説明する。図３に示されるように、基地局１００には、温度テーブル保持部１１０と、設置情報取得部１２０と、温度測定部１３０と、温度推定部１４０と、パラメータテーブル保持部１４５と、動作制御部１５０とが備えられる。
【００１８】
温度テーブル保持部１１０は、基地局１００の設置状態と、制御部３００の温度と、無線部４００ａ，４００ｂの推定温度と、を関連づけて保持する温度保持部である。温度テーブル保持部１１０は、基地局の設置状態と、制御部３００の温度とに応じて、あらかじめ測定された無線部４００ａ，４００ｂの温度を無線部４００ａ，４００ｂの推定温度として保持する。
【００１９】
図４を参照して、本実施の形態における設置状態について説明する。本実施の形態における設置状態とは、基地局１００の設置方向である。本実施の形態における基地局１００の設置方向とは、図４（ａ）に示されるようにアンテナ群２００ａ，２００ｂが基地局１００の上面に位置する状態である「縦置き」と、図４（ｂ）に示されるようにアンテナ群２００ａ，２００ｂが側面に位置する状態である「横置き」とのいずれかである。
【００２０】
アンテナ群２００ａ，２００ｂと無線部４００ａ，４００ｂとは図２に示される位置関係であるため、基地局１００が「縦置き」されている場合は、略直方体の基地局１００の内部であって、対向する側面に無線部４００ａ，４００ｂが配置される。又、基地局１００が「横置き」されている場合は、略直方体の基地局１００の内部であって、上面と下面に無線部４００ａ，４００ｂが配置される。
【００２１】
本実施の形態における温度テーブル保持部１１０は、図５に示されるように設置状態に応じて複数の温度テーブルを保持する。図５（ａ）は、「縦置き」に対応する温度テーブルであり、図５（ｂ）は、「横置き」に対応する温度テーブルである。図５に示されるように、それぞれの温度テーブルにおいて、制御部３００の温度と無線部４００ａ，４００ｂの推定温度が関連づけられる。
【００２２】
設置情報取得部１２０は、基地局１００の設置状態を示す設置情報を取得する。例えば、設置情報取得部１２０は、基地局１００に備えられる入力装置を介して入力される設置情報や、ネットワークを介して入力される設置情報を取得する。
【００２３】
温度測定部１３０は、制御部３００の温度を測定する。温度測定部１３０は、例えば、制御部３００に設置された温度センサである。
【００２４】
温度推定部１４０は、温度テーブル保持部１１０を参照し、温度測定部１３０によって測定された温度と、基地局１００の設置状態とに関連付けられている無線部４００ａ，４００ｂの推定温度を無線部４００ａ，４００ｂの温度と推定する。
【００２５】
例えば、温度推定部１４０は、温度測定部１３０から、測定された温度として「２０℃」を取得する。又、温度推定部１４０は、設置情報取得部１２０から、設置状態が「縦置き」であることを示す設置情報を取得する。この場合、温度推定部１４０は、図５（ａ）に示される温度テーブルを参照し、制御部３００の温度「２０℃」に関連づけられている無線部４００ａの推定温度「４０℃」を無線部４００ａの温度であると推定し、制御部３００の温度「２０℃」に関連づけられている無線部４００ｂの推定温度「３０℃」を無線部４００ｂの温度であると推定する。
【００２６】
パラメータテーブル保持部１４５は、無線部４００ａ，４００ｂの温度と、目標動作状態と、無線部４００ａ，４００ｂの動作を目標動作状態にするための動作パラメータとが関連づけられたパラメータテーブルを保持する。本実施の形態においては、パラメータテーブル保持部１４５は、目標動作状態毎に、動作パラメータと温度とが関連づけられたパラメータテーブルを保持する。
【００２７】
図６にパラメータテーブルの例を示す。図６（ａ）は、「送信電力：１５０ｍＷ」と示されるように、目標動作状態が、「送信電力が１５０ｍＷであること」である場合に参照されるパラメータテーブルである。図６（ｂ）は、「送信電力：１６０ｍＷ」と示されるように、「目標動作状態が、送信電力が１６０ｍＷであること」である場合に参照されるパラメータテーブルであるである。又、図６（ａ），（ｂ）においては、動作パラメータは、無線部４００ａ，４００ｂに備えられる送信アンプに加えられる電圧である。
【００２８】
尚、パラメータテーブル保持部１４５は、無線部４００ａ，４００ｂを動作させるために用いられる複数の動作パラメータのそれぞれについてテーブルを保持してもよいし、複数の動作パラメータのそれぞれと温度とが関連づけられた一つのテーブルを保持してもよい。
【００２９】
動作制御部１５０は、温度推定部１４０によって推定された無線部４００ａ，４００ｂの温度と、無線部４００ａ，４００ｂの目標動作状態とに基づいて、前記無線部の動作パラメータを決定するパラメータ決定部として機能する。
【００３０】
例えば、動作制御部１５０は、図６に示されるパラメータテーブルを参照して、送信アンプに加えられる電圧を決定する。先に例示したように、無線部４００ａの温度が「４０℃」、無線部４００ｂの温度が「３０℃」と推定されたものとする。又、目標動作状態が、「送信電力が１５０ｍＷであること」とする。即ち、送信電力の目標値は「１５０ｍＷ」であるとする。この場合、動作制御部１５０は、図６（ａ）に示されるパラメータテーブルを参照して、無線部４００ａに備えられる送信アンプには「４．４５Ｖ」の電圧を加え、無線部４００ｂに備えられる送信アンプには「４．４０Ｖ」の電圧を加えることを決定する。
【００３１】
更に動作制御部１５０は、決定された動作パラメータに基づいて、無線部４００ａ，４００ｂを動作させる。例えば、先に例示したように、無線部４００ａに備えられる送信アンプには「４．４５Ｖ」の電圧を加え、無線部４００ｂに備えられる送信アンプには「４．４０Ｖ」の電圧を加える。この場合、無線部４００ａ，４００ｂからの送信電力は１５０ｍＷとなることが期待される。
【００３２】
尚、図６に示されるパラメータテーブルにおいては、全ての温度と電圧とが関連づけられていないが、テーブルには記載されていない温度と電圧との関係は、記載されている温度と電圧との関係から推測される。
【００３３】
（温度測定方法）
次に、基地局１００において、複数の無線部４００ａ，４００ｂの温度を推定する方法を図７を用いて説明する。
【００３４】
ステップＳ１０１において、設置情報取得部１２０が、基地局１００の設置情報を取得する。
【００３５】
ステップＳ１０２において、温度測定部１３０が、制御部３００の温度を測定する。
【００３６】
ステップＳ１０３において、温度推定部１４０が、温度テーブル保持部１１０を参照する。
【００３７】
ステップＳ１０４において、温度推定部１４０が、測定された温度と、設置情報によって示される設置状態に基づいて、無線部４００ａ，４００ｂの温度を推定する。
【００３８】
ステップＳ１０５において、動作制御部１５０が、推定された温度に基づいて無線部４００ａ，４００ｂの動作を制御する。
【００３９】
（効果）
温度テーブル保持部１１０が、制御部３００の温度と、複数の無線部４００ａ，４００ｂの推定温度とを関連づけて保持するため、一つの温度センサによって測定された制御部３００の温度に基づいて、複数の無線部４００ａ，４００ｂの温度をより正確に推定することができる。
【００４０】
又、温度測定部１３０は、制御部３００の温度と複数の無線部４００ａ，４００ｂの推定温度とを関連づけて保持するだけでなく、基地局１００の設置状態もこれらに関連づけて保持する。このため、基地局１００の設置状態によって、制御部３００の温度に対する無線部４００ａ，４００ｂの温度が異なる場合であっても、複数の無線部４００ａ，４００ｂの温度をより正確に推定することができる。
【００４１】
従って、コストを抑えつつ、より正確に、基地局１００内の複数の無線部４００ａ，４００ｂの温度を推定することが可能になる。
【００４２】
又、本実施の形態においては、基地局１００内の複数の無線部４００ａ，４００ｂの温度が推定される。基地局１００の無線部４００ａ，４００ｂには一般的に、温度によって特性が変化する部品が備えられているため、無線部４００ａ，４００ｂの温度を正確に推定することが求められる。又、基地局１００の設置方向によって、無線部４００ａ，４００ｂの位置が異なるため、基地局１００に備えられる発熱部品によって発生させられる熱の伝わり方が異なる。
【００４３】
本実施の形態によれば、無線部４００ａ，４００ｂが、基地局１００の内部の対向する側面に備えられる場合（縦置き）と、基地局１００の内部の上面と下面に配置される場合（横置き）とによって、制御部３００の温度と関連づけられる無線部４００ａ，４００ｂの推定温度が異なる。従って、より正確に、装置内の無線部４００ａ，４００ｂの温度を推定することが可能になる。
【００４４】
又、動作制御部１５０が、推定された温度に基づいて無線部４００ａ，４００ｂの動作パラメータを決定し、無線部４００ａ，４００ｂの動作を制御する。このため、温度によって特性が変化する部品が備えられている無線部４００ａ，４００ｂを適切に制御することが可能になる。
【００４５】
又、本実施の形態によれば、基地局１００内の温度を正確に推定することが可能であるため、推定された温度に基づいて、無線部に備えられた受信電界強度測定装置によって測定される受信電界強度を補償することが可能である。
【００４６】
例えば、無線部の温度と、推定される受信電界強度値とに関連づけられる、受信電界強度測定装置の出力は図８に示される。無線部の温度が「２０℃」であるときに、受信電界強度測定装置によって測定された受信電界強度が「５９．９ｄＢμＶ」であれば受信電界強度は「６０ｄＢμＶ」に補償され、受信電界強度測定装置によって測定された受信電界強度が「７９．９ｄＢμＶ」であれば、受信電界強度は「８０ｄＢμＶ」に補償される。
【００４７】
（変更例）
本発明は上記の実施の形態によって記載したが、この開示の一部をなす論述及び図面はこの発明を限定するものであると理解すべきではない。この開示から当業者には様々な代替実施形態、実施例及び運用技術が明らかとなろう。
【００４８】
例えば、上記の実施の形態においては、設置状態とは基地局１００の設置方向であって、「縦置き」又は「横置き」のいずれかであるとしたが、設置状態とは、基地局１００が室内に設置されている状態である「室内置き」又は、基地局１００が屋外に設置されている状態である「屋内置き」のいずれかであってもよい。
【００４９】
基地局１００が屋内に設置された場合と屋外に設置された場合では、基地局１００内の熱分布が異なるため、制御部３００の温度に対する無線部４００ａ，４００ｂの温度が異なると考えられる。
【００５０】
設置状態が、「室内置き」か「屋内置き」かのいずれかであれば、基地局１００が室内に設置されているか、又は、屋外に設置されているかによって、制御部３００の温度と関連づけられる無線部４００ａ，４００ｂの推定温度が異なる。従って、より正確に、装置内の複数の無線部４００ａ，４００ｂの推定温度を推定することが可能になる。
【００５１】
更には、設置状態は「縦置き」又は「横置き」いずれかと、「室内置き」又は、「屋内置き」のいずれかの両方の要素を含んでもよい。この場合、設置状態とは、「縦置きかつ室内置き」、「縦置きかつ屋外置き」、「横置きかつ室内置き」又は「横置きかつ屋外置き」のいずれかである。
【００５２】
又、本実施の形態においては、基地局１００は無線部４００ａ，４００ｂを二つ備えるとしているが、一つだけ備えてもよいし、二つ以上備えてもよい。一つの温度センサによって温度が測定される無線部の数が多いほど、更にコストを抑えることができる。
【００５３】
更に、本実施の形態においては、温度推定装置は基地局１００であるとしているが、コストを抑えつつ複数の測定対象位置の温度を推定することが求められる温度推定装置のすべてに適用することが可能である。
【００５４】
又、本実施の形態においては、温度が測定される所定位置は制御部３００が備えられる位置であるとしているが、装置内の他の位置であっても構わない。例えば、無線部４００ａ，４００ｂのいずれかであってもよい。
【００５５】
或いは、本実施の形態に係る温度テーブル保持部１１０は、設置状態に応じて複数の温度テーブルを保持する。しかし、温度テーブル保持部１１０は、設置状態と、制御部３００の温度と、無線部４００ａ，４００ｂの温度とを関連づけたテーブルを一つ保持してもよい。
【００５６】
更に、本実施の形態においては、パラメータテーブル保持部１４５は図６に示されるように、送信電力と、無線部の温度と、加えられる電圧とを関連づけるパラメータテーブルを保持するが、図９に示されるように、送信電力と、無線部の温度と、電圧値と、周波数帯とを関連づけるパラメータテーブルを保持してもよい。
【００５７】
基地局１００が通信を行う周波数帯周波数帯によって、同じ電圧が加えられても、送信電力が変化する送信アンプが用いられる場合には、図９に示されるようなパラメータテーブルが用いられる。
【図面の簡単な説明】
【００５８】
【図１】は、基地局の概略図である。
【図２】は、基地局の断面図である。
【図３】は、本実施の形態に係る基地局の構成図である。
【図４】は、本実施の形態に係る設置状態を説明する図である。
【図５】は、本実施の形態に係る温度テーブル保持部によって保持される温度テーブルを示す図である。
【図６】は、本実施の形態に係るパラメータテーブル保持部によって保持されるパラメータテーブルを示す図である。
【図７】は、本実施の形態に係る基地局において、複数の無線部の温度を推定する方法を示すフロー図である。
【図８】は、受信電界強度を補償するために用いられるテーブルを示す図である。
【図９】は、パラメータテーブル保持部によって保持されるパラメータテーブルの他の例を示す図である。
【符号の説明】
【００５９】
１００…基地局
１１０…温度テーブル保持部
１２０…設置情報取得部
１３０…温度測定部
１４０…温度推定部
１４５…パラメータテーブル保持部
１５０…動作制御部
２００ａ，２００ｂ…アンテナ群
３００…制御部
４００ａ，４００ｂ…無線部
【図１】
2006284360.tif 000003
【図２】
2006284360.tif 000004
【図３】
2006284360.tif 000005
【図４】
2006284360.tif 000006
【図５】
2006284360.tif 000007
【図６】
2006284360.tif 000008
【図７】
2006284360.tif 000009
【図８】
2006284360.tif 000010
【図９】
2006284360.tif 000011